(57)【要約】  解析部３３は、ＵＥ１０から送信されるメッセージ（Ａｔｔａｃｈメッセージ）を解析する。解析部３３は、メッセージに付された指標値を取得する。指標値とは、端末装置の通信周期以上の時間に設定された情報である。位置通知周期算出部３４は、解析部３３が取得した指標値に基づいて、ＵＥ１０が位置情報を送信する周期の設定時間を、通信周期よりも大きな値となるように算出する。
2013046506.tif 000002
【特許請求の範囲】
【請求項１】
端末装置の通信周期以上の時間に設定された指標値を、前記端末装置から送信されたメッセージから取得する解析手段と、
前記指標値に基づいて、前記端末装置が位置情報を送信する周期の設定時間を、前記通信周期よりも大きな値となるように算出する位置通知周期算出手段と、を備える処理装置。
【請求項２】
前記位置登録周期算出手段は、前記指標値が所定の閾値以下である場合、前記閾値を前記設定時間とすることを特徴とする請求項１に記載の処理装置。
【請求項３】
前記指標値は、前記通信周期と等しい値であることを特徴とする請求項１または請求項２に記載の処理装置。
【請求項４】
前記通信周期は、前記端末装置の通信履歴に基づいて算出されることを特徴とする請求項１乃至請求項３のいずれかに記載の処理装置。
【請求項５】
モビリティ管理装置であることを特徴とする請求項１乃至４のいずれかに記載の処理装置。
【請求項６】
端末装置と、処理装置と、を備える通信システムであって、
前記端末装置は、
自端末の通信周期以上に設定された指標値を、前記処理装置に対する登録メッセージに含めて通知し、位置情報を送信する周期の設定時間を受信する送受信手段と、
前記設定値に基づいて、周期的に自端末の位置情報を登録する位置登録手段と、を備え、
前記処理装置は、
前記登録メッセージから前記指標値を取得する解析手段と、
前記指標値に基づいて、前記端末装置が位置情報を送信する周期の設定時間を、前記通信周期よりも大きな値となるように算出する位置通知周期算出手段と、を備える、通信システム。
【請求項７】
前記位置登録周期算出手段は、前記指標値が所定の閾値以下である場合、前記閾値を前記設定時間とすることを特徴とする請求項６に記載の通信システム。
【請求項８】
自端末の通信周期以上の時間に設定された指標値を、モビリティ管理装置に対して通知し、前記モビリティ管理装置から位置情報を送信する周期の設定時間を受信する送受信手段と、
前記設定時間に基づいて、周期的に自端末の位置情報を前記モビリティ管理装置に登録する位置登録手段と、を備え、
前記設定時間は、前記指標値よりも長い時間である、通信端末。
【請求項９】
端末装置の通信周期にかかる情報を取得し、
前記端末装置が位置情報を送信する周期の設定時間を、前記通信周期よりも大きな値となるように算出する、端末装置制御方法。
【請求項１０】
請求項９に記載の方法をコンピュータに行わせるためのプログラムが格納された非一時的なコンピュータ可読媒体。
【発明の詳細な説明】
【技術分野】
【０００１】
本発明は処理装置、通信システム、通信端末、端末装置制御方法、及びプログラムが格納された非一時的なコンピュータ可読媒体に関する。
【背景技術】
【０００２】
移動通信システムでは、Ｍ２Ｍ（Machine to Machine）通信等を行う端末の増加に伴い、利用端末数が増加してきている。これらの移動通信システムでは、ユーザ端末は、どのセル内にいても発着信ができるように、位置登録エリアという単位でネットワークに登録されている。そのため、各ユーザ端末は、位置登録エリアを管理する装置に対して位置登録（ＴＡＵ：Tracking Area Update）を行う必要がある。なお、ＴＡＵにかかる処理詳細は、非特許文献１を参照されたい。【０００３】
３ＧＰＰ（3rd Generation Partnership Project）のＬＴＥ（Long Term Evolution）による移動通信システムを例に説明する。この移動通信システムには、ＭＭＥ（Mobile Management Entity）と呼ばれる基地局（ｅＮＢ）の上位装置が存在する。ＭＭＥは、位置登録エリアを管理する。ユーザ端末（ＵＥ）は、基地局（ｅＮＢ）を介してＭＭＥに対して自身の位置登録情報を送信する。【０００４】
以下、ユーザ端末の位置登録に関連する技術を開示した文献について説明する。特許文献１には、移動通信端末と、ロケーションレジスタとの間のトラフィックが軽減できる位置登録システムが開示されている。当該位置登録システムでは、移動通信端末が特定の位置登録エリアに停滞した場合、当該移動通信端末の位置登録周期を一定周期よりも長く設定している。【０００５】
特許文献２には、利用者の利便性やサービス性を損ねることなく、位置情報等の記憶リソース及び設備の効率化を図ることが可能な移動通信システムが開示さている。【０００６】
特許文献３には、移動機の増大によっても位置登録が過密に実行されることを回避する移動通信システムが開示されている。
【先行技術文献】
【特許文献】
【０００７】
【特許文献１】特開２００２−２０９２４７号公報
【特許文献２】特開２００５−４５５６５号公報
【特許文献３】特開２００９−１４１８５５号公報
【非特許文献】
【０００８】
【非特許文献１】3GPP TS23.401 version 10.4.0 Release 10 "LTE; General Packet Radio Service (GPRS) enhancements for Evolved Universal Terrestrial Radio Access Network (E-UTRAN) Access (3GPP TS 23.401 version 10.4.0 Release 10)" ETSI 2011-06
【発明の概要】
【発明が解決しようとする課題】
【０００９】
移動通信システム（移動体通信網）を利用する端末の種類は、Ｍ２Ｍの普及により多岐にわたっている。これらの端末には、携帯電話等に加え、例えば自動販売機等のように全く移動しない端末が含まれる。また、予め定められたタイミングでのみ通信を行う端末も含まれる。【００１０】
上述の自動販売機等の端末は、自身の位置情報の送信を携帯電話等の端末と同様に行う。そのため、周期的な位置情報の登録にかかる処理負荷が増大する恐れがある。すなわち、ＭＭＥ等の処理負荷が増大してしまう恐れがある。また、ネットワーク上に位置情報の登録にかかる情報が大量に送信されるため、ネットワークの輻輳を引き起こしてしまう可能性がある。【００１１】
特許文献１〜３の技術では、端末の位置情報の送信周期のタイマの値を設定できることを開示しているが、端末の通信周期を考慮した設定を行っているわけではない。そのため、依然として、端末は、不要な位置情報を周期的に送信してしまう恐れがある。【００１２】
すなわち、端末が適切に位置情報を送信することができないため、処理負荷の増大、ネットワークの輻輳を引き起こしてしまうという問題があった。【００１３】
本発明は、上述の問題に鑑みてなされたものであり、位置情報の登録にかかるネットワーク負荷を軽減することができる処理装置、通信システム、通信端末、端末装置制御方法、及びプログラムが格納された非一時的なコンピュータ可読媒体を提供することを主たる目的とする。
【課題を解決するための手段】
【００１４】
本発明にかかる処理装置の一態様は、
端末装置の通信周期以上の時間に設定された指標値を、前記端末装置から送信されたメッセージから取得する解析部と、
前記指標値に基づいて、前記端末装置が位置情報を送信する周期の設定時間を、前記通信周期よりも大きな値となるように算出する位置通知周期算出部と、を備えるものである。【００１５】
本発明にかかる通信システムの一態様は、
端末装置と、処理装置と、を備える通信システムであって、
前記端末装置は、
自端末の通信周期以上に設定された指標値を、前記処理装置に対する登録メッセージに含めて通知し、位置情報を送信する周期の設定時間を受信する送受信部と、
前記設定値に基づいて、周期的に自端末の位置情報を登録する位置登録部と、を備え、
前記処理装置は、
前記登録メッセージから前記指標値を取得する解析部と、
前記指標値に基づいて、前記端末装置が位置情報を送信する周期の設定時間を、前記通信周期よりも大きな値となるように算出する位置通知周期算出部と、を備える、ものである。【００１６】
本発明にかかる通信端末の一態様は、
自端末の通信周期以上の時間に設定された指標値を、モビリティ管理装置に対して通知し、前記モビリティ管理装置から位置情報を送信する周期の設定時間を受信する送受信部と、
前記設定時間に基づいて、周期的に自端末の位置情報を前記モビリティ管理装置に登録する位置登録部と、を備え、
前記設定時間は、前記指標値よりも長い時間である、ものである。【００１７】
本発明にかかる端末装置制御方法の一態様は、
端末装置の通信周期にかかる情報を取得し、
前記端末装置が位置情報を送信する周期の設定時間を、前記通信周期よりも大きな値となるように算出する、ものである。【００１８】
本発明にかかるプログラムが格納された非一時的なコンピュータ可読媒体の一態様は、
上記した端末装置制御方法をコンピュータに行わせるためのプログラムが格納された非一時的なコンピュータ可読媒体である。
【発明の効果】
【００１９】
本発明では、位置情報の登録にかかるネットワーク負荷を軽減することができる処理装置、通信システム、通信端末、端末装置制御方法、及びプログラムが格納された非一時的なコンピュータ可読媒体を提供することができる。
【図面の簡単な説明】
【００２０】
【図１】実施の形態１にかかる通信ネットワークシステムの構成を示すブロック図である。
【図２】実施の形態１にかかるＵＥ１０の構成を示すブロック図である。
【図３】実施の形態１にかかるＭＭＥ３０の構成を示すブロック図である。
【図４】実施の形態１にかかるＨＳＳ４０の構成を示すブロック図である。
【図５】実施の形態１にかかるＵＥ１０とＭＭＥ３０との間のＡｔｔａｃｈ処理の流れを示すシーケンス図である。
【図６】実施の形態１にかかるＭＭＥ３０による位置情報の送信周期の算出処理の流れを示すフローチャートである。
【図７】実施の形態１にかかるＭＭＥ３０とＨＳＳ４０との間のＡｔｔａｃｈ処理の流れを示すシーケンス図である。
【図８】実施の形態１にかかるＭＭＥ３０による位置情報の送信周期の算出処理の流れを示すフローチャートである。
【図９】コンピュータシステムのハードウェア構成例を示すブロック図である。
【図１０】本発明にかかるＭＭＥ３０の構成を示すブロック図である。
【発明を実施するための形態】
【００２１】
＜実施の形態１＞
以下、図面を参照して本発明の実施の形態について説明する。図１は、本実施の形態にかかる通信ネットワークシステムの構成を示すブロック図である。当該通信ネットワークシステム１は、ＬＴＥ（Long Term Evolution）にかかるシステムである。
【００２２】
通信ネットワークシステム１は、端末（User Equipment、以下"ＵＥ"と記載する）１０と、基地局（ｅＮｏｄｅＢ、以下"ｅＮＢ"と記載する）２０と、モビリティ管理装置（Mobile Management Entity、以下"ＭＭＥ"と記載する）３０と、ＨＳＳ（Home Subscriber Server）４０と、を有する構成である。なお、図中には、各装置を１つのみ記載したが、これらの装置は複数存在しても良いことは勿論である。通常、通信ネットワークシステム１上に複数のＵＥ１０が存在する。
【００２３】
ＵＥ１０は、ＭＭＥ３０から設定された位置登録の周期タイマ（位置情報の送信周期）の設定値に従い、周期的に位置登録処理（ＴＡＵ：Tracking Area Update）を行う。すなわち、ＵＥ１０は、設定された周期タイマの設定値の時間が経過する毎に、自端末の位置情報を、ｅＮＢ２０を介してＭＭＥ３０に送信する。なお、ＵＥ１０は、周期タイマの設定値の時間が経過する前に通信処理を行う場合、周期のカウント処理をリセットする。例えば、ＵＥ１０は、周期タイマの設定値の時間として２４時間が設定されており、電源投入時から４時間後に通信処理を行った場合、その通信を行った時点から２４時間のカウント処理を改めて開始する。
【００２４】
さらに、ＵＥ１０は、Ａｔｔａｃｈ処理（当該端末を通信ネットワークシステム１上に登録する処理）の際に、位置登録の周期タイマの指標値（通信周期以上の値）をＭＭＥ３０に対して送信する。なお、ＵＥ１０の内部構成、処理詳細、及び上述の指標値の詳細は、図２のブロック図（ＵＥ１０の構成図）を参照して後述する。
【００２５】
ｅＮＢ２０は、ＬＴＥネットワークに対応した基地局装置である。ｅＮＢ２０は、公知の手法により、ＵＥ１０との間の無線通信を制御する。
【００２６】
ＭＭＥ３０は、ＥＰＣ（Evolved Packet Core）にて導入された装置であり、モビリティを管理する装置である。ＭＭＥ３０は、ＵＥ１０の移動管理に関する制御（モビリティ制御）を行う。ＭＭＥ３０は、公知のモビリティ制御に加え、ＵＥ１０からのＡｔｔａｃｈリクエストを解析し、位置登録の周期タイマの指標値が含まれているかを判定する。位置登録の周期タイマの指標値が含まれている場合、ＭＭＥ３０は、当該指標値を用いてＵＥ１０に通知する位置登録の周期タイマの設定値を算出する。また、ＭＭＥ３０は、ＨＳＳ４０から送信されるＡｔｔａｃｈメッセージ（Ｕｐｄａｔｅ  Ｌｏｃａｔｉｏｎ  Ａｃｋ等）に応じて各ＵＥ１０に通知する位置登録の周期タイマの設定値を算出してもよい。
なお、ＭＭＥ３０の内部構成、処理詳細、及び上記算出処理の詳細は、図３のブロック図（ＭＭＥ３０の構成図）を参照して後述する。
【００２７】
ＨＳＳ４０は、いわゆる加入者情報を管理するデータベースを保持する装置である。詳細には、ＨＳＳ４０は、ＵＥ１０毎の移動管理に用いる情報等を保持する。ＨＳＳ４０は、公知の情報を保持してＭＭＥ３０と通信を行うことに加え、ＵＥ１０の位置登録の周期タイマの指標値をＭＭＥ３０に送信しても良い。なお、ＨＳＳ４０の内部構成、及び処理詳細は、図４のブロック図を参照して後述する。
【００２８】
続いて、図２を参照して、ＵＥ１０の詳細を説明する。図２は、ＵＥ１０の内部構成を示すブロック図である。ＵＥ１０は、Ａｔｔａｃｈメッセージ処理部１１と、位置通知部１４と、記憶部１５と、を有する。Ａｔｔａｃｈメッセージ処理部１１は、位置登録周期付与部１２と、解析部１３と、を備える。
【００２９】
Ａｔｔａｃｈメッセージ処理部１１は、非特許文献１等に記載された標準仕様に基づいてＡｔｔａｃｈ  Ｒｅｑｕｅｓｔメッセージを生成して送信する。さらに、Ａｔｔａｃｈメッセージ処理部１１は、受信したＡｔｔａｃｈ  Ａｃｃｅｐｔメッセージ等を解析する処理部である。
【００３０】
位置登録周期付与部１２は、作成したＡｔｔａｃｈ  Ｒｅｑｕｅｓｔメッセージに、位置登録の周期タイマの指標値を付与する処理部である。
【００３１】
ここで、位置登録の周期タイマの指標値とは、ＵＥ１０の通信周期から定まる値であり、一般的にはＵＥ１０の通信周期をそのまま指標値とすればよい。例えば、ＵＥ１０の通信周期が１日に１回である場合、位置登録周期付与部１２は、作成したＡｔｔａｃｈ  Ｒｅｑｕｅｓｔメッセージに、指標値（"２４時間"）を付与する。なお、自動販売機のように移動を行わない端末の通信周期は、一般的に予め定まっている。位置登録周期付与部１２は、たとえばＡｔｔａｃｈ  Ｒｅｑｕｅｓｔメッセージの新規パラメータとして当該指標値を付与して送信する。
【００３２】
位置登録周期付与部１２は、ＵＥ１０の通信周期をそのまま指標値とするのではなく、通信周期に一定のマージン値を加算して指標値としても良い。例えば、位置登録周期付与部１２は、ＵＥ１０の通信周期（"２４時間"）に一律のマージン値（"３０分"）を加算して指標値としても良い。
【００３３】
解析部１３は、受信したＡｔｔａｃｈ  Ａｃｃｅｐｔメッセージから、ＭＭＥ３０が付与した位置登録の周期タイマの設定値を抽出する。解析部１３は、この位置登録の周期タイマの設定値を抽出し、位置通知部１４に設定値を設定する。
【００３４】
位置通知部１４は、設定された位置登録の周期タイマの設定値に応じて、ＭＭＥ３０に位置情報を周期的に通知する。すなわち、位置通知部１４は、位置登録の周期タイマの設定値の時間が経過する毎に、いわゆるＴＡＵ処理を行う。前述のように、位置登録の周期タイマは、解析部１３から設定される。
【００３５】
次に、図３を参照して、ＭＭＥ３０の詳細を説明する。図３は、ＭＭＥ３０の内部構成を示すブロック図である。ＭＭＥ３０は、記憶部３１と、Ａｔｔａｃｈメッセージ送受信部３２と、を備える。なお、図示しないが、ＭＭＥ３０は、ＴＡＵ処理を行う処理部等も適宜備える。
【００３６】
記憶部３１は、位置登録の周期タイマのデフォルト値、各ＵＥ１０の位置情報等を記憶する記憶部である。
【００３７】
Ａｔｔａｃｈメッセージ送受信部３２は、解析部３３と、位置登録周期算出部３４と、を備える。Ａｔｔａｃｈメッセージ送受信部３２は、ＵＥ１０からＡｔｔａｃｈメッセージを受信するとともに、ＵＥ１０に対して送信するＡｔｔａｃｈメッセージを作成して送信する処理部である。また、Ａｔｔａｃｈメッセージ送受信部３２は、ＨＳＳ４０とのＡｔｔａｃｈメッセージ（Ｕｐｄａｔｅ  Ｌｏｃａｔｉｏｎ  Ａｃｋ等）のやり取りを行う。
【００３８】
解析部３３は、受信したＡｔｔａｃｈ  Ｒｅｑｕｅｓｔメッセージ、またはＵｐｄａｔｅ  Ｌｏｃａｔｉｏｎ  Ａｃｋメッセージを解析し、ＵＥ１０の位置登録の周期タイマの指標値が設定されているか否かを解析する。解析部３３は、位置登録の周期タイマの指標値が設定されている場合、当該指標値を位置通知周期算出部３４に通知する。なお、解析部３３は、位置登録の周期タイマの指標値が設定されていない場合、その旨を位置登録周期算出部３４に通知する。
【００３９】
位置登録周期算出部３４は、解析部３３からの通知に応じてＵＥ１０の位置登録の周期タイマの設定値を算出する処理部である。位置登録周期算出部３４は、通知された指標値以上の時間、またはデフォルト値を、ＵＥ１０の位置登録の周期タイマの設定値とする。位置登録周期算出部３４は、算出した設定値をＡｔｔａｃｈメッセージに付与する。当該算出方法は、図５〜８を参照して後述する。
【００４０】
次に、図４を参照して、ＨＳＳ４０の詳細を説明する。図４は、ＨＳＳ４０の内部構成を示すブロック図である。ＨＳＳ４０は、記憶部４１と、Ａｔｔａｃｈメッセージ送受信部４２と、を備える。Ａｔｔａｃｈメッセージ送受信部４２は、位置登録周期付与部４３を備える。
【００４１】
記憶部４１は、各ＵＥ１０の加入者情報を保持する記憶部である。ここで、加入者情報には、各ＵＥ１０の通信周期の情報が含まれ得る。
【００４２】
Ａｔｔａｃｈメッセージ送受信部４２は、ＭＭＥ３０との間のＡｔｔａｃｈメッセージ（非特許文献１に規定されたＵｐｄａｔｅ  Ｌｏｃａｔｉｏｎ  Ａｃｋ等）の生成、送信、及び受信を行う処理部である。
【００４３】
位置登録周期付与部４３は、Ｕｐｄａｔｅ  Ｌｏｃａｔｉｏｎ  Ａｃｋメッセージの生成時に記憶部４１から対応するＵＥ１０の通信周期の情報を取得する。そして、位置登録周期付与部４３は、取得した通信周期を基にＵｐｄａｔｅ  Ｌｏｃａｔｉｏｎ  Ａｃｋメッセージに付与する指標値を算出する。なお、一般的には、位置登録周期付与部４３は、取得した通信周期をそのまま指標値とする。位置登録周期付与部４３は、指標値をＵｐｄａｔｅ  Ｌｏｃａｔｉｏｎ  Ａｃｋメッセージの新たなパラメータとして設定する。
【００４４】
なお、ＨＳＳ４０は、通常のＨＳＳが備える処理（加入者情報の管理等）を実行する各処理部（図示せず）を備える。
【００４５】
続いて、図５及び図６を参照して、ＵＥ１０とＭＭＥ３０との間のＡｔｔａｃｈ処理を説明する。図５は、ＵＥ１０とＭＭＥ３０との間のＡｔｔａｃｈ処理の流れを示すシーケンス図である。図６は、ＭＭＥ３０による位置登録の周期算出処理の流れを示すフローチャートである。
【００４６】
はじめに、ＵＥ１０は、通信ネットワークシステム１に登録する際に、ｅＮＢ２０を介してＭＭＥ３０に対してＡｔｔａｃｈ  Ｒｅｑｕｅｓｔメッセージを送信する（図５  ＳＴ１１）。この際に、ＵＥ１０は、Ａｔｔａｃｈ  Ｒｅｑｕｅｓｔメッセージに位置登録の周期タイマの指標値を付与して送信する。例えば、通信周期が定まっている（１日に１回等）ＵＥ１０は、前述のように当該通信周期を指標値としてＡｔｔａｃｈ  Ｒｅｑｕｅｓｔメッセージに付与して送信する。
【００４７】
ＭＭＥ３０は、Ａｔｔａｃｈ  Ｒｅｑｕｅｓｔメッセージを受信する。ＭＭＥ３０は、非特許文献１に規定された処理（一般的なＡｔｔａｃｈ処理）を行う（図５  ＳＴ１２）。これに加え、ＭＭＥ３０は、Ａｔｔａｃｈ  Ｒｅｑｕｅｓｔメッセージに前述の指標値が付与されているか否かを判定する（図６  ＳＴ２１）。指標値が付与されていない場合（図６  ＳＴ２１：ＮＯ）、ＭＭＥ３０は、内部に保持する位置登録の周期タイマのデフォルト値を、ＵＥ１０にかかる位置登録の周期タイマの設定値とする（図５  ＳＴ１３、図６  ＳＴ２４）。ＭＭＥ３０は、この設定値をＡｔｔａｃｈ  Ａｃｃｅｐｔメッセージに付与してＵＥ１０に送信する（図５  ＳＴ１４）。
【００４８】
一方、Ａｔｔａｃｈ  Ｒｅｑｕｅｓｔメッセージに指標値が付与されている場合（図６  ＳＴ２１：Ｙｅｓ）、ＭＭＥ３０は、当該指標値がＭＭＥ３０の保持する位置登録の周期タイマのデフォルト値よりも長いか否かを判定する（図５  ＳＴ１３、図６  ＳＴ２２）。当該指標値がＭＭＥ３０の保持する位置登録の周期タイマのデフォルト値よりも短い場合（図５  ＳＴ１３、図６  ＳＴ２２：ＮＯ）、ＭＭＥ３０は、内部に保持する位置登録の周期タイマのデフォルト値を、ＵＥ１０にかかる位置登録の周期タイマの設定値とする（図５  ＳＴ１３、図６  ＳＴ２４）。ＭＭＥ３０は、この設定値をＡｔｔａｃｈ  Ａｃｃｅｐｔメッセージに付与してＵＥ１０に送信する（図５  ＳＴ１４）。
【００４９】
デフォルト値よりも短い場合、周期タイマのデフォルト値をＵＥ１０にかかる位置登録の周期タイマの設定値とすることにより、ＭＭＥ３０は、ＵＥ１０による位置情報の送信頻度の増加を防ぐことが可能になる。すなわち、もし、通知された指標値にて通信が行われない場合においても、ＵＥ１０は、最低でもデフォルト値に規定された時間だけ待ち合わせた後に、周期的に位置登録処理を行う。これにより、ＭＭＥ３０の処理負荷の低減、及びネットワークの輻輳を低減することができる。
【００５０】
一方、指標値がＭＭＥ３０の保持する位置登録の周期タイマのデフォルト値よりも長い場合（図５  ＳＴ１３、図６  ＳＴ２２：ＹＥＳ）、ＭＭＥ３０は、当該指標値以上の時間を、ＵＥ１０にかかる位置登録の周期タイマの設定値とする（図５  ＳＴ１３、図６  ＳＴ２３）。
【００５１】
ここで、ＭＭＥ３０は、指標値が通信周期の値と等しい場合、当該指標値よりも長い時間を、ＵＥ１０にかかる位置登録の周期タイマの設定値とする。また、ＭＭＥ３０は、指標値が通信周期の値よりも長い場合、当該指標値以上の時間を、ＵＥ１０にかかる位置登録の周期タイマの設定値とする。すなわち、ＭＭＥ３０は、ＵＥ１０の通信周期よりも長い時間をＵＥ１０にかかる位置登録の周期タイマの設定値とする。
【００５２】
ＭＭＥ３０は、この設定値をＡｔｔａｃｈ  Ａｃｃｅｐｔメッセージに付与してＵＥ１０に送信する（図５  ＳＴ１４）。
【００５３】
前述したように、ＵＥ１０が前述の指標値をＭＭＥ３０に送信するのではなく、ＨＳＳ４０がＵＥ１０の指標値をＭＭＥ３０に送信しても良い。この場合のＭＭＥ３０及びＨＳＳ４０の処理を図７及び図８を参照して説明する。図７は、ＭＭＥ３０とＨＳＳ４０との間のＡｔｔａｃｈ処理の流れを示すシーケンス図である。図８は、ＭＭＥ３０による位置情報の送信周期の算出処理の流れを示すフローチャートである。
【００５４】
ＵＥ１０、ＭＭＥ３０、及びＨＳＳ４０は、非特許文献１に定められた手法によりＡｔｔａｃｈ処理を行う（図７  ＳＴ３１）。
【００５５】
ＭＭＥ３０は、Ｕｐｄａｔｅ  Ｌｏｃａｔｉｏｎ  Ａｃｋメッセージにより対象となるＵＥ１０の加入者情報をＨＳＳ４０から取得する（図７  ＳＴ３２）。なお、Ｕｐｄａｔｅ  Ｌｏｃａｔｉｏｎ  Ａｃｋメッセージの詳細については、非特許文献１を適宜参照されたい。
【００５６】
この際、対象ＵＥ１０について前述の指標値が定まっている場合、ＨＳＳ４０は、通常のメッセージ内に対象ＵＥ１０の指標値を付与してＭＭＥ３０に送信する（図７  ＳＴ３２）。
【００５７】
ＭＭＥ３０は、取得した加入者情報内に指標値が設定されているか否かを判定する（図８  ＳＴ４１）。指標値が付与されていない場合（図８  ＳＴ４１：ＮＯ）、ＭＭＥ３０は、内部に保持する位置登録の周期タイマのデフォルト値を、ＵＥ１０にかかる位置登録の周期タイマの設定値とする（図７  ＳＴ３３、図８  ＳＴ４４）。ＭＭＥ３０は、この設定値をＡｔｔａｃｈ  Ａｃｃｅｐｔメッセージに付与してＵＥ１０に送信する（図７  ＳＴ３４）。
【００５８】
一方、取得した加入者情報内に指標値が付与されている場合（図８  ＳＴ４１：Ｙｅｓ）、ＭＭＥ３０は、当該指標値がＭＭＥ３０の保持する位置登録の周期タイマのデフォルト値よりも長いか否かを判定する（図７  ＳＴ３３、図８  ＳＴ４２）。当該指標値がＭＭＥ３０の保持する位置登録の周期タイマのデフォルト値よりも短い場合（図７  ＳＴ３３、図８  ＳＴ４２：ＮＯ）、ＭＭＥ３０は、内部に保持する位置登録の周期タイマのデフォルト値を、ＵＥ１０にかかる位置登録の周期タイマの設定値とする（図７  ＳＴ３３、図８  ＳＴ４４）。ＭＭＥ３０は、この設定値をＡｔｔａｃｈ  Ａｃｃｅｐｔメッセージに付与してＵＥ１０に送信する（図７  ＳＴ３４）。
【００５９】
デフォルト値よりも短い場合、周期タイマのデフォルト値をＵＥ１０にかかる位置登録の周期タイマの設定値とすることにより、ＭＭＥ３０は、ＵＥ１０による位置情報の送信頻度の増加を防ぐことが可能になる。すなわち、もし、通知された指標値にて通信が行われない場合においても、ＵＥ１０は、最低でもデフォルト値に規定された時間だけ待ち合わせた後に、周期的に位置登録処理を行う。これにより、ＭＭＥ３０の処理負荷の低減、及びネットワークの輻輳を低減することができる。
【００６０】
一方、指標値がＭＭＥ３０の保持する位置登録の周期タイマのデフォルト値よりも長い場合（図７  ＳＴ３３、図８  ＳＴ４２：ＹＥＳ）、ＭＭＥ３０は、当該指標値に応じて、ＵＥ１０にかかる位置登録の周期タイマの設定値とする（図７  ＳＴ３３、図８  ＳＴ４３）。ＭＭＥ３０は、この設定値をＡｔｔａｃｈ  Ａｃｃｅｐｔメッセージに付与してＵＥ１０に送信する（図７  ＳＴ３４）。
【００６１】
続いて、本実施の形態にかかる通信ネットワークシステム１の効果について説明する。ＭＭＥ３０は、前述のようにＵＥ１０の通信周期よりも長い時間を位置登録の周期タイマの値として算出する。これにより、ＵＥ１０は、通信周期が予め定まっている場合には、位置情報の送信に先立ち、通信処理を行うことになる。この場合、ＵＥ１０は、通信処理の実行により、位置登録の周期タイマのカウント処理がリセットされる。そのため、ＵＥ１０は、周期的な位置登録処理を完全に行わなくなる。これにより、通信周期の定まっているＵＥ１０についての位置登録処理が完全に実行されなくなり、ネットワーク負荷の軽減を図ることができる。
【００６２】
以上、実施の形態を参照して本願発明を説明したが、本願発明は上記によって限定されるものではない。本願発明の構成や詳細には、発明のスコープ内で当業者が理解し得る様々な変更をすることができる。
【００６３】
例えば、位置登録周期付与部１２は、予め定められた通信周期を基に指標値を設定するだけにとどまらず、過去の通信履歴を用いて指標値を算出しても良い。例えば記憶部１５は通信履歴を格納する。位置登録周期付与部１２は、記憶部１５から通信履歴を取得し、通信履歴から最長通信周期を算出する。位置登録周期付与部１２は、この最長通信周期を指標値としてＡｔｔａｃｈ  Ｒｅｑｕｅｓｔメッセージに付与しても良い。この場合であっても、ＭＭＥ３０は、位置登録の周期タイマの設定値を大きくすることができる。これにより、移動せず、通信も稀な（通信周期が定まっていない）ＵＥ１０に対しても、位置登録の周期タイマを適切に設定できる。
【００６４】
たとえば、上述の実施の形態１では、主にＬＴＥ通信システムについて説明したが、本発明は必ずしもＬＴＥに限られるものではない。本発明は、３Ｇ無線アクセスシステムに応用することももちろん可能である。３Ｇ無線アクセスシステムでは、ＳＧＳＮ（Serving GPRS Support Node）が上述のＭＭＥ３０に対応し、ＨＬＲ（Home Location Register）が上述のＨＳＳ４０に対応し、ＲＡＵ（Radio Access Unit）処理が上述のＴＡＵ処理に対応し、ＲＡＵ  Ａｃｃｅｐｔが上述のＴＡＵ  Ａｃｃｅｐｔに対応する。
【００６５】
なお、ＵＥ１０の各処理部（位置登録周期付与部１２、解析部１３、位置通知部１４）、ＭＭＥ３０の各処理部（解析部３３、位置通知周期算出部３４）、及びＨＳＳ４０の各処理部（位置登録周期付与部４３）の処理は、例えば任意のコンピュータ内で動作するプログラムとして実現することが可能である。プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６６】
図９は、ＵＥ１０の各処理部（位置登録周期付与部１２、解析部１３、位置通知部１４）、ＭＭＥ３０の各処理部（解析部３３、位置通知周期算出部３４）、またはＨＳＳ４０の各処理部（位置登録周期付与部４３）の処理をプログラムとして実現するためのコンピュータシステムのハードウェア構成例を示している。例えば、このシステムは、中央処理装置（ＣＰＵ）５０１とメモリ５０２とを含んでいる。ＣＰＵ５０１とメモリ５０２とは、バスを介して補助記憶装置としてのハードディスク装置（ＨＤＤ）５０３に接続される。このシステムは、典型的には、ユーザ・インターフェース・ハードウェアを備える。ユーザ・インターフェース・ハードウェアとしては、例えば、入力をするためのポインティング・デバイス（マウス、ジョイスティック等）やキーボード等の入力装置５０４や、視覚データをユーザに提示するための液晶ディスプレイなどの表示装置５０５がある。ハードディスク装置５０３等の記憶媒体にはオペレーティングシステムと共同してＣＰＵ５０１等に命令を与え、このシステムの各部の機能を実施するためのコンピュータ・プログラムを記憶することができる。
【００６７】
図１０を参照して、本発明の本質を改めて説明する。図１０は、本発明にかかるＭＭＥ３０の本質的な処理を行う構成要素のみを示すブロック図である。ＭＭＥ３０は、解析部３３と、位置通知周期算出部３４を備える。
【００６８】
解析部３３は、ＵＥ１０から送信されるメッセージ（Ａｔｔａｃｈメッセージ）を解析する。解析部３３は、メッセージに付された指標値を取得する。指標値とは、端末装置の通信周期以上の時間に設定された情報である。
【００６９】
位置通知周期算出部３４は、解析部３３が取得した指標値に基づいて、ＵＥ１０が位置情報を送信する周期の設定時間を、通信周期よりも大きな値となるように算出する。例えば、位置通知周期算出部３４は、通信周期が２４時間である場合、位置情報の送信周期を２４時間３０分とする。
【００７０】
当該構成によっても、ＵＥ１０による周期的に位置情報の送信を抑止でき、ネットワークの負荷の軽減を図ることができる。
【００７１】
上記実施形態の一部又は全部は、以下の付記のようにも記載されうるが、以下には限られない。
【００７２】
（付記１）
端末装置の通信周期以上の時間に設定された指標値を、前記端末装置から送信されたメッセージから取得する解析部と、
前記指標値に基づいて、前記端末装置が位置情報を送信する周期の設定時間を、前記通信周期よりも大きな値となるように算出する位置通知周期算出部と、を備える処理装置。
【００７３】
（付記２）
前記位置登録周期算出部は、前記指標値が所定の閾値以下である場合、前記閾値を前記設定時間とすることを特徴とする付記１に記載の処理装置。
【００７４】
（付記３）
前記指標値は、前記通信周期と等しい値であることを特徴とする付記１または付記２に記載の処理装置。
【００７５】
（付記４）
前記通信周期は、前記端末装置の通信履歴に基づいて算出されることを特徴とする付記１乃至付記３のいずれかに記載の処理装置。
【００７６】
（付記５）
モビリティ管理装置であることを特徴とする付記１乃至４のいずれかに記載の処理装置。
【００７７】
（付記６）
端末装置と、処理装置と、を備える通信システムであって、
前記端末装置は、
自端末の通信周期以上に設定された指標値を、前記処理装置に対する登録メッセージに含めて通知し、位置情報を送信する周期の設定時間を受信する送受信部と、
前記設定値に基づいて、周期的に自端末の位置情報を登録する位置登録部と、を備え、
前記処理装置は、
前記登録メッセージから前記指標値を取得する解析部と、
前記指標値に基づいて、前記端末装置が位置情報を送信する周期の設定時間を、前記通信周期よりも大きな値となるように算出する位置通知周期算出部と、を備える、通信システム。
【００７８】
（付記７）
前記位置登録周期算出部は、前記指標値が所定の閾値以下である場合、前記閾値を前記設定時間とすることを特徴とする付記６に記載の通信システム。
【００７９】
（付記８）
前記指標値は、前記通信周期と等しい値であることを特徴とする付記６または付記７に記載の通信システム。
【００８０】
（付記９）
前記通信周期は、前記端末装置の通信履歴に基づいて算出されることを特徴とする付記６乃至付記８のいずれかに記載の通信システム。
【００８１】
（付記１０）
自端末の通信周期以上の時間に設定された指標値を、モビリティ管理装置に対して通知し、前記モビリティ管理装置から位置情報を送信する周期の設定時間を受信する送受信部と、
前記設定時間に基づいて、周期的に自端末の位置情報を前記モビリティ管理装置に登録する位置登録部と、を備え、
前記設定時間は、前記指標値よりも長い時間である、通信端末。
【００８２】
（付記１１）
前記指標値は、前記通信周期と等しい値であることを特徴とする付記１０に記載の通信端末。
【００８３】
（付記１２）
前記通信周期は、通信履歴に基づいて算出されることを特徴とする付記１０または付記１１に記載の通信端末。
【００８４】
（付記１３）
端末装置の通信周期にかかる情報を取得し、
前記端末装置が位置情報を送信する周期の設定時間を、前記通信周期よりも大きな値となるように算出する、端末装置制御方法。
【００８５】
（付記１４）
付記１３に記載の方法をコンピュータに行わせるためのプログラムが格納された非一時的なコンピュータ可読媒体。
【００８６】
この出願は、２０１１年９月３０日に出願された日本出願特願２０１１−２１６４２８を基礎とする優先権を主張し、その開示の全てをここに取り込む。
【符号の説明】
【００８７】
１  通信ネットワークシステム
１０  ＵＥ
１１  Ａｔｔａｃｈメッセージ処理部
１２  位置登録周期付与部
１３  解析部
１４  位置登録部
１５  記憶部
２０  基地局（ｅＮＢ）
３０  ＭＭＥ（Mobile Management Entity）
３１  記憶部
３２  Ａｔｔａｃｈメッセージ送受信部
３３  解析部
３４  位置通知周期算出部
４０  ＨＳＳ（Home Subscriber Server）
４１  記憶部
４２  Ａｔｔａｃｈメッセージ送受信部
４３  位置登録周期付与部
５０１  中央処理装置（ＣＰＵ）
５０２  メモリ
５０３  ハードディスク装置（ＨＤＤ）
５０４  入力装置
５０５  表示装置
【図１】
2013046506.tif 000003
【図２】
2013046506.tif 000004
【図３】
2013046506.tif 000005
【図４】
2013046506.tif 000006
【図５】
2013046506.tif 000007
【図６】
2013046506.tif 000008
【図７】
2013046506.tif 000009
【図８】
2013046506.tif 000010
【図９】
2013046506.tif 000011
【図１０】
2013046506.tif 000012
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
端末装置の通信周期以上の時間に設定された指標値を、前記端末装置から送信されたメッセージから取得する解析手段と、
前記指標値に基づいて、前記端末装置が位置情報を送信する周期の設定時間を、前記通信周期よりも大きな値となるように算出する位置通知周期算出手段と、を備える処理装置。
【請求項２】
前記位置登録周期算出手段は、前記指標値が所定の閾値以下である場合、前記閾値を前記設定時間とすることを特徴とする請求項１に記載の処理装置。
【請求項３】
前記指標値は、前記通信周期と等しい値であることを特徴とする請求項１または請求項２に記載の処理装置。
【請求項４】
前記通信周期は、前記端末装置の通信履歴に基づいて算出されることを特徴とする請求項１乃至請求項３のいずれかに記載の処理装置。
【請求項５】
モビリティ管理装置であることを特徴とする請求項１乃至４のいずれかに記載の処理装置。
【請求項６】
端末装置と、処理装置と、を備える通信システムであって、
前記端末装置は、
自端末の通信周期以上に設定された指標値を、前記処理装置に対する登録メッセージに含めて通知し、位置情報を送信する周期の設定時間を受信する送受信手段と、
前記設定時間に基づいて、周期的に自端末の位置情報を登録する位置登録手段と、を備え、
前記処理装置は、
前記登録メッセージから前記指標値を取得する解析手段と、
前記指標値に基づいて、前記端末装置が位置情報を送信する周期の設定時間を、前記通信周期よりも大きな値となるように算出する位置通知周期算出手段と、を備える、通信システム。
【請求項７】
前記位置登録周期算出手段は、前記指標値が所定の閾値以下である場合、前記閾値を前記設定時間とすることを特徴とする請求項６に記載の通信システム。
【請求項８】
自端末の通信周期以上の時間に設定された指標値を、モビリティ管理装置に対して通知し、前記モビリティ管理装置から位置情報を送信する周期の設定時間を受信する送受信手段と、
前記設定時間に基づいて、周期的に自端末の位置情報を前記モビリティ管理装置に登録する位置登録手段と、を備え
前記設定時間は、前記指標値よりも長い時間である、通信端末。
【請求項９】
端末装置の通信周期にかかる情報を取得し、
前記端末装置が位置情報を送信する周期の設定時間を、前記通信周期よりも大きな値となるように算出する、端末装置制御方法。
【請求項１０】
請求項９に記載の方法をコンピュータに行わせるためのプログラムが格納された非一時的なコンピュータ可読媒体。
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
端末装置の通信周期以上の時間に設定された指標値を、前記端末装置から送信されたメッセージから取得する解析手段と、
前記指標値に基づいて、前記端末装置が位置情報を送信する周期の設定時間を、前記通信周期よりも大きな値となるように算出する位置通知周期算出手段と、を備える処理装置。
【請求項２】
前記位置通知周期算出手段は、前記指標値が所定の閾値以下である場合、前記閾値を前記設定時間とすることを特徴とする請求項１に記載の処理装置。
【請求項３】
前記指標値は、前記通信周期と等しい値であることを特徴とする請求項１または請求項２に記載の処理装置。
【請求項４】
前記通信周期は、前記端末装置の通信履歴に基づいて算出されることを特徴とする請求項１乃至請求項３のいずれかに記載の処理装置。
【請求項５】
モビリティ管理装置であることを特徴とする請求項１乃至４のいずれかに記載の処理装置。
【請求項６】
端末装置と、処理装置と、を備える通信システムであって、
前記端末装置は、
自端末の通信周期以上に設定された指標値を、前記処理装置に対する登録メッセージに含めて通知し、位置情報を送信する周期の設定時間を受信する送受信手段と、
前記設定時間に基づいて、周期的に自端末の位置情報を登録する位置登録手段と、を備え、
前記処理装置は、
前記登録メッセージから前記指標値を取得する解析手段と、
前記指標値に基づいて、前記端末装置が位置情報を送信する周期の設定時間を、前記通信周期よりも大きな値となるように算出する位置通知周期算出手段と、を備える、通信システム。
【請求項７】
前記位置通知周期算出手段は、前記指標値が所定の閾値以下である場合、前記閾値を前記設定時間とすることを特徴とする請求項６に記載の通信システム。
【請求項８】
自端末の通信周期以上の時間に設定された指標値を、モビリティ管理装置に対して通知し、前記モビリティ管理装置から位置情報を送信する周期の設定時間を受信する送受信手段と、
前記設定時間に基づいて、周期的に自端末の位置情報を前記モビリティ管理装置に登録する位置登録手段と、を備え
前記設定時間は、前記指標値よりも長い時間である、通信端末。
【請求項９】
端末装置の通信周期にかかる情報を取得し、
前記端末装置が位置情報を送信する周期の設定時間を、前記通信周期よりも大きな値となるように算出する、端末装置制御方法。
【請求項１０】
請求項９に記載の方法をコンピュータに行わせるためのプログラム。
【手続補正３】
【補正対象書類名】明細書
【補正対象項目名】０００１
【補正方法】変更
【補正の内容】
【０００１】
本発明は処理装置、通信システム、通信端末、端末装置制御方法、及びプログラムに関する。
【手続補正４】
【補正対象書類名】明細書
【補正対象項目名】００１３
【補正方法】変更
【補正の内容】
【００１３】
本発明は、上述の問題に鑑みてなされたものであり、位置情報の登録にかかるネットワーク負荷を軽減することができる処理装置、通信システム、通信端末、端末装置制御方法、及びプログラムを提供することを主たる目的とする。
【手続補正５】
【補正対象書類名】明細書
【補正対象項目名】００１８
【補正方法】変更
【補正の内容】
【００１８】
本発明にかかるプログラムは、
上記した端末装置制御方法をコンピュータに行わせるためのプログラムである。
【手続補正６】
【補正対象書類名】明細書
【補正対象項目名】００１９
【補正方法】変更
【補正の内容】
【００１９】
本発明では、位置情報の登録にかかるネットワーク負荷を軽減することができる処理装置、通信システム、通信端末、端末装置制御方法、及びプログラムを提供することができる。
【手続補正７】
【補正対象書類名】明細書
【補正対象項目名】００３７
【補正方法】変更
【補正の内容】
【００３７】
Ａｔｔａｃｈメッセージ送受信部３２は、解析部３３と、位置通知周期算出部３４と、を備える。Ａｔｔａｃｈメッセージ送受信部３２は、ＵＥ１０からＡｔｔａｃｈメッセージを受信するとともに、ＵＥ１０に対して送信するＡｔｔａｃｈメッセージを作成して送信する処理部である。また、Ａｔｔａｃｈメッセージ送受信部３２は、ＨＳＳ４０とのＡｔｔａｃｈメッセージ（Ｕｐｄａｔｅ  Ｌｏｃａｔｉｏｎ  Ａｃｋ等）のやり取りを行う。
【手続補正８】
【補正対象書類名】明細書
【補正対象項目名】００３９
【補正方法】変更
【補正の内容】
【００３９】
位置通知周期算出部３４は、解析部３３からの通知に応じてＵＥ１０の位置登録の周期タイマの設定値を算出する処理部である。位置通知周期算出部３４は、通知された指標値以上の時間、またはデフォルト値を、ＵＥ１０の位置登録の周期タイマの設定値とする。位置通知周期算出部３４は、算出した設定値をＡｔｔａｃｈメッセージに付与する。当該算出方法は、図５〜８を参照して後述する。
【手続補正９】
【補正対象書類名】明細書
【補正対象項目名】００７３
【補正方法】変更
【補正の内容】
【００７３】
（付記２）
前記位置通知周期算出部は、前記指標値が所定の閾値以下である場合、前記閾値を前記設定時間とすることを特徴とする付記１に記載の処理装置。
【手続補正１０】
【補正対象書類名】明細書
【補正対象項目名】００７７
【補正方法】変更
【補正の内容】
【００７７】
（付記６）
端末装置と、処理装置と、を備える通信システムであって、
前記端末装置は、
自端末の通信周期以上に設定された指標値を、前記処理装置に対する登録メッセージに含めて通知し、位置情報を送信する周期の設定時間を受信する送受信部と、
前記設定時間に基づいて、周期的に自端末の位置情報を登録する位置登録部と、を備え、
前記処理装置は、
前記登録メッセージから前記指標値を取得する解析部と、
前記指標値に基づいて、前記端末装置が位置情報を送信する周期の設定時間を、前記通信周期よりも大きな値となるように算出する位置通知周期算出部と、を備える、通信システム。
【手続補正１１】
【補正対象書類名】明細書
【補正対象項目名】００７８
【補正方法】変更
【補正の内容】
【００７８】
（付記７）
前記位置通知周期算出部は、前記指標値が所定の閾値以下である場合、前記閾値を前記設定時間とすることを特徴とする付記６に記載の通信システム。
【手続補正１２】
【補正対象書類名】明細書
【補正対象項目名】００８７
【補正方法】変更
【補正の内容】
【００８７】
１  通信ネットワークシステム
１０  ＵＥ
１１  Ａｔｔａｃｈメッセージ処理部
１２  位置登録周期付与部
１３  解析部
１４  位置通知部
１５  記憶部
２０  基地局（ｅＮＢ）
３０  ＭＭＥ（Mobile Management Entity）
３１  記憶部
３２  Ａｔｔａｃｈメッセージ送受信部
３３  解析部
３４  位置通知周期算出部
４０  ＨＳＳ（Home Subscriber Server）
４１  記憶部
４２  Ａｔｔａｃｈメッセージ送受信部
４３  位置登録周期付与部
５０１  中央処理装置（ＣＰＵ）
５０２  メモリ
５０３  ハードディスク装置（ＨＤＤ）
５０４  入力装置
５０５  表示装置
【国際調査報告】
2013046506.tif 000013
2013046506.tif 000014
2013046506.tif 000015